(57)【要約】【課題】  光ピックアップアクチュエータの特性のバラツキを抑えること。【解決手段】  対物レンズ（２）を保持し、少なくともトラッキングコイル（５）、フォーカシングコイル（３）を取り付けたレンズホルダ（１）は、その外側壁にトラッキングコイルを取り付けるための取付け部（１−３）を持つ。この取付け部（１−３）は、トラッキングコイル（５）をレンズホルダ（１）に固着するために塗布される固着用接着剤を受け入れるための樹脂塗布用凹部（１−３ａ）を持つ。この樹脂塗布用凹部（１−３ａ）は、固着用接着剤の塗布量を一定に規定するような所定の形状をしている。【選択図】      図５
2006031903.tif 000002
【特許請求の範囲】
【請求項１】
対物レンズを保持し、少なくともトラッキングコイル、フォーカシングコイルを取り付けたレンズホルダであって、複数のサスペンションワイヤにより揺動可能に支持される前記レンズホルダと、前記トラッキングコイル、前記フォーカシングコイルに対して磁気的に作用するマグネットを取り付けたヨークとを含む光ピックアップアクチュエータにおいて、
前記レンズホルダは、その外側壁に前記トラッキングコイルを取り付けるための取付け部を持ち、
前記取付け部は、前記トラッキングコイルを前記レンズホルダに固着するために塗布される固着用接着剤を受け入れるための受入れ部を持つことを特徴とする光ピックアップアクチュエータ。
【請求項２】
前記受入れ部は、前記固着用接着剤の塗布量を一定に規定するような所定の形状をしている、請求項１に記載の光ピックアップアクチュエータ。
【請求項３】
前記受入れ部が、前記取付け部に形成された少なくも２箇所の凹部からなることを特徴とする請求項１又は２に記載の光ピックアップアクチュエータ。
【請求項４】
前記取付け部が、前記トラッキングコイルの内周形状と実質的に同一寸法の外周壁を持ち、かつ、前記トラッキングコイルの厚さと実質的に同一の高さを持つ略四角筒の形状をしており、
前記受入れ部が、前記略四角筒の外周縁端が面取りされた面取り部からなることを特徴とする請求項１又は２に記載の光ピックアップアクチュエータ。
【発明の詳細な説明】
【技術分野】
【０００１】
本発明は光ディスクドライブの光ピックアップに関し、特に記録密度の異なる２種類の光ディスクを記録・再生する光ディスクドライブに適した光ピックアップアクチュエータに関する。
【背景技術】
【０００２】
周知のように、ＤＶＤ装置においては、ＤＶＤとＣＤとのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザ光を使い分けて記録・再生を行うものであり、２波長対応光ピックアップと呼ばれている。
【０００３】
この種の２波長対応光ピックアップは、ＤＶＤ用の短波長レーザ光を出射するためのＤＶＤ用のレーザダイオード（ＬＤ）と、ＣＤ用の長波長レーザ光を出射するためのＣＤ用のレーザダイオード（ＬＤ）とを備えている（例えば、特許文献１参照）。
【０００４】
いずれにしても、この種の光ディスクドライブは、高さサイズの小さい所謂、薄型（スリム型）にされる傾向にあり、そのために光ピックアップの主要部を構成する光ピックアップアクチュエータも薄型化することが要求されている。
【０００５】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【０００６】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御させる必要もある。
【０００７】
上記光ピックアップアクチュエータは、フォーカシング制御、トラッキング制御及びチルティング制御を可能にするための装置であり、対物レンズ駆動装置とも呼ばれる。
【０００８】
対物レンズ駆動装置（光ピックアップアクチュエータ）は、対物レンズを保持するレンズホルダを、複数のサスペンションワイヤによって弾性支持している。また、レンズホルダには、フォーカシングコイル、トラッキングコイル及びチルティングコイルが巻回しあるいは取り付けられており、これらのコイルを磁気回路のギャップ内に部分的に位置させている。このような構成において、各コイルに流れる電流を制御することで、対物レンズ駆動装置は、対物レンズの位置及び傾きを微調整することができる（例えば、特許文献２参照）。
【０００９】
図７および図８に、従来技術におけるレンズホルダ１′とそれに取り付けられるトラッキングコイル５とを示す。図７はトラッキングコイル５をレンズホルダ１′に取り付ける前の状態を示す図で、（ａ）は正面斜め上方から見た斜視図、（ｂ）は背面斜め上方から見た斜視図である。図８はトラッキングコイル５をレンズホルダ１′に取り付けた後の状態を示す図で、（ａ）は正面斜め上方から見た斜視図、（ｂ）は背面斜め上方から見た斜視図である。
【００１０】
レンズホルダ１′は、中央に対物レンズ２を装着するための貫通穴によるレンズ装着部１−１を有し、両側には空芯のフォーカシングコイル３を収容するための貫通穴による収容部１−２を有する。
【００１１】
収容部１−２には下側からフォーカシングコイル３とチルトコイル４とが重ねて収容、固着される。収容部１−２はまた、その上側の開口がヨークの一部を露出させるための開口となる。レンズホルダ１′の４つの外側壁のうち、トラッキング方向Ｔｒ、つまり幅方向に平行な２つの外側壁には収容部１−２に対応する箇所にそれぞれ、トラッキングコイル５を取り付けるための取付け部１−３′が設けられている。この取付け部１−３′は、トラキングコイル５をレンズホルダ１′に組み立てる際に、トラキングコイル５の位置決めを容易にするためのものである。
【００１２】
この取付け部１−３′は、トラッキングコイル５の内周形状と実質的に同一形状の外周壁を持ち、かつトラッキングコイル５の厚さと実質的に同一寸法の高さを持つ、略四角筒の形状をしている。
【００１３】
レンズホルダ１′におけるタンジェンシャル方向に平行な２つの側壁にはそれぞれ、３本のサスペンションワイヤ（図示せず）の一端を支持するための３つの支持部１−５が形成されている。
【００１４】
レンズホルダ１′において支持部１−５が形成されている２つの側壁にはそれぞれ、サスペンションワイヤと各種コイルとの接続を行うための回路基板１７が取り付けられる。また、対物レンズ２は、レンズホルダ１′に設けられたレンズ装着部１−１に嵌合され、接着剤により固定される。
【００１５】
トラッキングコイル５をレンズホルダ１′に固着する際、図８に示される様に、先ず、取付け部１−３′にトラッキングコイル５を嵌め込んだ後、固着用接着剤（図８（ｂ）の斜線で示す部分）でトラッキングコイル５をレンズホルダ１′に固着する。
【００１６】
【特許文献１】特開２００３−２７２２２０号公報
【特許文献２】特開２００１−９３１７７号公報（図７、図８）
【発明の開示】
【発明が解決しようとする課題】
【００１７】
上述したような従来のレンズホルダ１′の構造では、トラッキングコイル５をレンズホルダ１′に固着させる際、次のような問題がある。第１に、固着用接着剤の塗布位置および塗布量にバラツキが出易くレンズホルダ１′の重量バランス等に影響を及ぼし、その結果として、光ピックアップアクチュエータの特性にバラツキが発生してしまう。第２に、レンズホルダ１′に樹脂塗布部が無い為に、図８（ｂ）に示されるように、トラッキングコイル５の端面から樹脂（固着用接着剤）がはみ出す可能性がある。トラッキングコイル５にはマグネットが近接して配置されるので、最悪の場合は、そのはみ出した部分がマグネットと接触し、光ピックアップアクチュエータが動作しなくなる恐れがある。特に、薄型化された光ピックアップアクチュエータでは、トラッキングコイル５にマグネットがより近接して配置されることになるので、問題となる。
【００１８】
そこで、本発明の技術的課題は、光ピックアップアクチュエータの特性のバラツキを抑えることができる、光ピックアップアクチュエータを提供することにある。
【００１９】
本発明の他の技術的課題は、光ピックアップアクチュエータが動作不能になる等の不具合を回避することができる、光ピックアップアクチュエータを提供することにある。
【課題を解決するための手段】
【００２０】
本発明によれば、対物レンズ（２）を保持し、少なくともトラッキングコイル（５）、フォーカシングコイル（３）を取り付けたレンズホルダ（１；１Ａ）であって、複数のサスペンションワイヤ（１１）により揺動可能に支持される前記レンズホルダと、前記トラッキングコイル、前記フォーカシングコイルに対して磁気的に作用するマグネット（１６）を取り付けたヨーク（１５）とを含む光ピックアップアクチュエータにおいて、前記レンズホルダは、その外側壁に前記トラッキングコイルを取り付けるための取付け部（１−３；１−３Ａ）を持ち、前記取付け部は、前記トラッキングコイルを前記レンズホルダに固着するために塗布される固着用接着剤を受け入れるための受入れ部（１−３ａ；１−３ｂ）を持つことを特徴とする光ピックアップアクチュエータが得られる。
【００２１】
上記光ピックアップアクチュエータにおいては、前記受入れ部は、前記固着用接着剤の塗布量を一定に規定するような所定の形状をしていることが好ましい。また、前記受入れ部は、例えば、前記取付け部に形成された少なくも２箇所の凹部（１−３ａ）からなるものであって良い。前記取付け部（１−３Ａ）が、前記トラッキングコイルの内周形状と実質的に同一寸法の外周壁を持ち、かつ、前記トラッキングコイルの厚さと実質的に同一の高さを持つ略四角筒の形状をしているとする。この場合、前記受入れ部は、例えば、前記略四角筒の外周縁端が面取りされた面取り部（１−３ｂ）からなるものであって良い。
【００２２】
ここで、上記括弧内の参照符号は本発明の理解を容易にするために付した一例であって、本発明は、上記参照符号で示された例に限定されるものではないことは勿論である。
【発明の効果】
【００２３】
本発明によれば、トラッキングコイルを取り付けるための取付け部が、トラッキングコイルをレンズホルダに固着するために塗布される固着用接着剤を受け入れるための受入れ部を持つので、固着用接着剤の塗布位置を所定位置に規定することができる。また、その受入れ部を、固着用接着剤の塗布量を一定に規定するような所定の形状とすることにより、固着用接着剤の塗布量も一定にすることができる。これにより、光ピックアップアクチュエータの特性のバラツキを抑えることが出来る。また、組立て時の歩留り、工数、製造原価等の改善を図ることができる。また、固着用接着剤の塗布量を一定にすることが出来る為、トラッキングコイルの端面から樹脂がはみ出すのを防止することができる。その結果、光ピックアップアクチュエータの動作が不能になる等の不具合を回避することが出来る。
【発明を実施するための最良の形態】
【００２４】
図１〜図４を参照して、本発明の実施の形態による光ピックアップアクチュエータについて説明する。光ピックアップアクチュエータは、２波長対応型光ピックアップに用いられるものである。
【００２５】
図１は本発明の実施の形態による光ピックアップアクチュエータ１００の組立て前の分解斜視図であり、図２は組立て後の斜視図である。
【００２６】
本実施の形態に係る光ピックアップアクチュエータ１００は、対物レンズホルダ（以下、レンズホルダと呼ぶ）１を備える。レンズホルダ１は、中央に対物レンズ２を装着するための貫通穴によるレンズ装着部１−１を有し、両側には空芯のフォーカシングコイル３を収容するための貫通穴による収容部１−２を有する。
【００２７】
収容部１−２には図１に示される下側からフォーカシングコイル３とチルトコイル４とが重ねて収容、固着される。収容部１−２はまた、その上側の開口がヨークの一部（後述する）を露出させるための開口となる。レンズホルダ１の４つの外側壁のうち、トラッキング方向Ｔｒ、つまり幅方向に平行な２つの外側壁には収容部１−２に対応する箇所にそれぞれ、トラッキングコイル５を取り付けるための取付け部１−３が設けられている。
【００２８】
レンズホルダ１は、本実施の形態では、６本のサスペンションワイヤ１１によりダンパベース１０で支持される。つまり、ダンパベース１０におけるタンジェンシャル方向Ｔｇに平行な２つの側壁にはそれぞれ、３本のサスペンションワイヤ１１の一端を支持するための３段の支持部１０−１が形成されている。各サスペンションワイヤ１１の一端は支持部１０−１を貫通し、突き抜けた部分で固着される。一方、レンズホルダ１におけるタンジェンシャル方向Ｔｇに平行な２つの側壁にはそれぞれ、３本のサスペンションワイヤ１１の他端を支持するための３つの支持部１−５が形成されている。各サスペンションワイヤ１１の他端は支持部１−５を貫通し、突き抜けた部分で固着される。
【００２９】
周知のように、これらの６本のサスペンションワイヤ１１は、上記の各種コイルと外部回路、つまり光ピックアップアクチュエータ１００のための駆動回路とを電気的に接続するための配線としても利用される。
【００３０】
レンズホルダ１の下側には、上記の各種コイルとの間で磁気回路を形成するためのヨーク１５と４つのマグネット１６との組合わせ体が配置される。ヨーク１５は、レンズホルダ１の一方の側壁に取り付けられた２つのトラッキングコイル５と間隔をおいて対向する第１の立上げ部（第１の壁部材）１５−１と、レンズホルダ１の他方の側壁に取り付けられた２つのトラッキングコイル５と間隔をおいて対向する第２の立上げ部（第２の壁部材）１５−２とを有する。ヨーク１５はまた、第１の立上げ部１５−１と第２の立上げ部１５−２との間に、２つの第３の立上げ部（ヨーク片）１５−３を有する。２つの第３の立上げ部１５−３はそれぞれ、レンズホルダ１の収容部１−２に収容されたフォーカシングコイル３内に挿通するようにされる。なお、第２の立上げ部１５−２には、レンズホルダ１に装着された対物レンズ２に対するレーザビームの光路を確保するために切欠き１５−２ａが形成されている。
【００３１】
いずれにしても、このようなヨーク１５は板部材により作られ、第１〜第３の立上げ部１５−１〜１５−３は、矩形状の底面部（主面部）からの折曲げ加工により形成される。
【００３２】
４つのマグネット１６のうちの２つは第１の立上げ部１５−１の内面側に取り付けられて２つのトラッキングコイル５に対向し、残りの２つは第２の立上げ部１５−２の内面側に取り付けられて２つのトラッキングコイル５に対向する。
【００３３】
ダンパベース１０は、ヨーク１５側に向けた突出部１０−２を有し、この突出部１０−２を利用してネジ１２によりヨーク１５の第１の立上げ部１５−１に固定される。つまり、ダンパベース１０は、ヨーク１５に対して水平方向から取り付けられる。このため、ダンパベース１０の側面にはネジ１２の頭部を収容可能な凹部１０ａが形成され、突出部１０−２にはネジ１２のネジ部を通すための貫通穴が形成されている。上記の貫通穴に対応する第１の立上げ部１５−１にはネジ１２を螺入するためのネジ穴１５−１ａが形成されている。第１の立上げ部１５−１の上端部にはまた２つの切り欠き部１５−１ｂが形成されている。一方、ダンパベース１０の突出部１０−２の先端には２つの切り欠き部１５−１ｂに嵌合する２つの突起部１０−２ｂが設けられている。ダンパベース１０の突出部１０−２の先端側上部には、２つの突起部１０−２ｂの間に上記の貫通穴の近くまで延びる凹部１０−２ａが形成されている。この凹部１０−２ａには接着剤が充填されることにより、ヨーク１５に対するダンパベース１０の固定は接着剤によっても行われる。接着剤による固定は凹部１０−２ａ以外の箇所でも行われるが、これについては後述する。ダンパベース１０の上記側面にはまた、上記の外部回路との接続のためのプリント配線基板１３が取り付けられ、各サスペンションワイヤ１１の一端が接続される。
【００３４】
ヨーク１５にはまた、本光ピックアップアクチュエータ１００の組立て後、これを光学ベース（図示せず）に実装する際に、スキュー角調整を行うための立上げ片１５−５、１５−６（第１、第２の固定部）が設けられている。立上げ片１５−５はスキュー角調整時の支点として作用するものであり、立上げ片１５−６には後述する光学ベース側からスキュー角調整用のネジ（図示せず）を螺入するための穴１５−６ａが形成されている。立上げ片１５−６は、第２の立上げ部１５−２を利用して立上げ片１５−５よりやや低い高さ位置に設けられている。なお、スキュー角調整を行うためには、１つの支点と２つのネジによる調整箇所が必要である。本形態では、他の１つの調整箇所をダンパベース１０に設けるようにしている。つまり、ダンパベース１０には第１の立上げ部１５−１側に向けて突出部１０−２が形成され、この突出部１０−２に光学ベース側からスキュー角調整用のネジが螺入されるナット１４を受けるための凹部１０ｂ（第３の固定部）が形成されている。このため、ダンパベース１０は、第１の立上げ部１５−１に対して突出部１０−２の突出長だけ離れた状態でヨーク１５に一体化される。
【００３５】
いずれにしても、ヨーク１５は、ダンパベース１０の一体化を底面部ではなく、第１の立上げ部１５−１に対して水平方向のネジ止めにより行うようにしている。
【００３６】
上記の他に、レンズホルダ１において支持部１−５が形成されている２つの側壁にはそれぞれ、サスペンションワイヤ１１と各種コイルとの接続を行うための回路基板１７が取り付けられる。また、対物レンズ２は、２つのバンパー１８によりレンズホルダ１に押さえるようにされる。更に、レンズホルダ１の上側には、ヨーク１５との間で磁気回路を形成するためのアッパーヨーク１９が装着される。
【００３７】
なお、ヨーク１５は、図１に示された底面部が必ず下側にあるように組み付けられるとは限らない。つまり、図１に示されたヨーク１５は、上下逆にして組み付けられる場合もある。この場合、図１のアッパーヨーク１９は光ピックアップアクチュエータの底面側に装着されることになる。
【００３８】
以上のような構成により組み立てられた後の対物レンズ駆動装置の全体図が図２である。
【００３９】
図３（ａ）は、ネジ１２によるヨーク１５へのダンパベース１０の取付けを分りやすく示した平面図であり、図３（ｂ）はその側面図である。つまり、光ピックアップアクチュエータ１００の上面側からネジ１２を見ることはできないが、分かり易くするために実線で示している。ダンパベース１０にはその側面から突出部１０−２の途中まで延びる凹部１０ａが形成され、突出部１０−２にはネジ１２のネジ部を通すための貫通穴が形成されている。ダンパベース１０はその突出部１０−２の先端がヨーク１５の第１の立上げ１５−１に密着するようにヨーク１５に固定される。
【００４０】
図４（ａ）は、光ピックアップアクチュエータ１００を底面側から見た図であり、図１で説明したヨーク１５へのダンパベース１０の接着箇所とは別の接着箇所を分かり易く示している。図４（ｂ）はその側面図である。ダンパベース１０の突出部１０−２の先端側下部には、前述した凹部１０−２ａの両側に対応する２箇所に凹部１０−２ｃが形成されている。これらの凹部１０−２ｃにも接着剤が充填されることにより、ダンパベース１０がヨーク１５の第１の立上げ部１５−１に接着される。
【００４１】
図５に本発明の第１の実施の形態に係るレンズホルダ１を、それにトラッキングコイル５を取り付けた状態で示す。図５において、（ａ）は正面斜め上方から見た斜視図であり、（ｂ）は背面斜め上方から見た斜視図である。
【００４２】
トラッキングコイル５を取り付けるための取付け部１−３には、樹脂塗布用凹部１−３ａが２箇所形成されている。この樹脂塗布用凹部１−３ａに固着用接着剤を塗布することにより、トラッキングコイル５はレンズホルダ１に固着される。すなわち、この樹脂塗布用凹部１−３ａは、トラッキングコイル５をレンズホルダ１に固着するために塗布される固着用接着剤を受け入れるための受入れ部として働く。そして、樹脂塗布用凹部１−３ａは、固着用接着剤の塗布量を一定に規定するような所定の形状をしている。
【００４３】
尚、図示の例では、樹脂塗布用凹部１−３ａが各取付け部１−３に２箇所だけ形成されているが、３箇所以上形成されても良い。
【００４４】
このように、取付け部１−３に樹脂塗布用凹部１−３ａを設けることにより、固着用接着剤の塗布位置、および固着用接着剤の塗布量を一定にすることができる。その結果、光ピックアップアクチュエータ１００の特性のバラツキを抑えることができ、組立て時の歩留まり、工数、製造原価等の改善を図ることができる。
【００４５】
また、固着用接着剤の塗布量を容易に一定にすることが出来る為、トラッキングコイル５の端面から固着用接着剤がはみ出すのを防止することができる。そのため、トラッキングコイル５をレンズホルダ１に固着するための固着用接着剤が、トラッキングコイル５に近接して配置されるマグネット１６と接触するのを防止することができる。その結果、光ピックアップアクチュエータ１００が動作不能になる等の不具合を回避することが出来る。
【００４６】
図６に本発明の第２の実施の形態に係るレンズホルダ１Ａを、それにトラッキングコイル５を取り付けた状態で示す。図６において、（ａ）は正面斜め上方から見た斜視図であり、（ｂ）は背面斜め上方から見た斜視図である。
【００４７】
図示のレンズホルダ１Ａは、取付け部の構成が相違している点を除いて、図５に示したレンズホルダ１と同様の構成を有する。従って、取付け部に１−３Ａの参照符号を付してある。
【００４８】
図示の取付け部１−３Ａは、略四角筒の外周縁端が面取りされた面取り部１−３ｂを持つ。この面取り部１−３ｂは、樹脂塗布用凹部１−３ａと同様に、トラッキングコイル５をレンズホルダ１Ａに固着するために塗布される固着用接着剤を受け入れるための受入れ部として働く。そして、面取り部１−３ｂは、固着用接着剤の塗布量を一定に規定するような所定の形状をしている。
【００４９】
このように、取付け部１−３Ａに面取り部１−３ｂを設けることにより、固着用接着剤の塗布位置、および固着用接着剤の塗布量を一定にすることができる。その結果、光ピックアップアクチュエータ１００の特性のバタツキを抑えることができ、組立て時の歩留り、工数、製造原価等の改善を図ることができる。
【００５０】
また、固着用接着剤の塗布量を容易に一定にすることが出来る為、トラッキングコイル５の端面から固着用接着剤がはみ出すのを防止することができる。そのため、トラッキングコイル５をレンズホルダ１Ａに固着するための固着用接着剤が、トラッキングコイル５に近接して配置されるマグネット１６と接触するのを防止することができる。その結果、光ピックアップアクチュエータ１００が動作不能になる等の不具合を回避することが出来る。
【００５１】
本発明は上述した実施の形態に限定されず、本発明の趣旨を逸脱しない範囲内で種々の変更・変形が可能なのは勿論である。例えば、上述した実施の形態では、取付け部が略四角筒の形状をしているが、これに限定されず、トラッキングコイルの位置決めが可能でトラッキングコイルを安定して取り付けることができる形状であれば良い。具体的には、トラッキングコイルの内周形状の四隅に対応する位置に、断面Ｌ字形の部材を４箇所設けたものであっても良い。この場合には、４つの断面Ｌ字形の部材の内の少なくとも対角線上にある２つの部材に受入れ部を設ければ良い。
【産業上の利用可能性】
【００５２】
本発明に係る光ピックアップアクチュエータは、光ディスクドライブ、特に、薄型の光ディスクドライブに最適であり、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための光ディスクドライブ全般に適用可能である。勿論、２波長対応光ピックアップに限定されるものでもなく、１波長単独の光ピックアップにも適用可能である。
【図面の簡単な説明】
【００５３】
【図１】本発明の実施の形態による２波長対応光ピックアップアクチュエータの組立て前の分解斜視図である。
【図２】図１の光ピックアップアクチュエータの組立て後の斜視図である。
【図３】図２の光ピックアップアクチュエータにおけるヨークへのネジによるダンパベースの一体化構造を分かり易く説明するための図であり、図３（ａ）は平面図、図３（ｂ）は側面図である。
【図４】図２の光ピックアップアクチュエータにおけるヨークへの接着剤によるダンパベースの一体化構造を分かり易く説明するための図であり、図４（ａ）は底面側から見た図、図４（ｂ）は側面図である。
【図５】本発明の第１の実施の形態に係るレンズホルダを、それにトラッキングコイルを取り付けた状態で示す図で、（ａ）は正面斜め上方から見た斜視図であり、（ｂ）は背面斜め上方から見た斜視図である。
【図６】本発明の第２の実施の形態に係るレンズホルダを、それにトラッキングコイルを取り付けた状態で示図で、（ａ）は正面斜め上方から見た斜視図であり、（ｂ）は背面斜め上方から見た斜視図である。
【図７】従来技術におけるレンズホルダにトラッキングコイルを取り付ける前の状態を示す図で、（ａ）は正面斜め上方から見た斜視図、（ｂ）は背面斜め上方から見た斜視図である。
【図８】従来技術におけるレンズホルダにトラッキングコイルを取り付けた後の状態を示す図で、（ａ）は正面斜め上方から見た斜視図、（ｂ）は背面斜め上方から見た斜視図である。
【符号の説明】
【００５４】
１、１Ａ    レンズホルダ
１−３、１−３Ａ    取付け部
１−３ａ    樹脂塗布用凹部
１−３ｂ    面取り部
２    対物レンズ
３    フォーカシングコイル
５    トラッキングコイル
１１    サスペンションワイヤ
１５    ヨーク
１６    マグネット
【図１】
2006031903.tif 000003
【図２】
2006031903.tif 000004
【図３】
2006031903.tif 000005
【図４】
2006031903.tif 000006
【図５】
2006031903.tif 000007
【図６】
2006031903.tif 000008
【図７】
2006031903.tif 000009
【図８】
2006031903.tif 000010